(57)【要約】      （修正有）【課題】手先が不自由な要介護者が食べ物を最後まで容易に掬い上げることができるよう工夫された食器を提供する。【解決手段】プラスチック等の剛性素材で形成された外側容器部３に、シリコーンゴム等の弾性素材で形成された内側容器部１９を入れ子状に設置する。スプーンＳで押しながら当てると、内側容器部が弾性変形してスプーンの形状に追従して、隙間が埋められるので、スープＦ等の流状の食べ物を効率良く掬い出すことができる。特に、内側容器部と外側容器部との間に逃げ隙間３３を形成すると、角隅部１３側に残ったスープもスプーンで掬い上げ易くなる。【選択図】図５
0003194175.tif 000002
【実用新案登録請求の範囲】
【請求項１】
剛性素材で形成され、底部と前記底部の縁から立ち上がった側部とで構成され外側容器部と、弾性素材で前記外側容器部の入れ子状に形成され、前記容器本体の内面側に配置される内側容器部とを備え、
スプーン等の掬い具を押しながら当てると、前記内側容器部が弾性変形して前記掬い具の形状に追従することで、前記掬い部と前記内側容器部との間の隙間が埋められることを特徴とする食器。
【請求項２】
請求項１に記載した食器において、
外側容器部の側部の内面が角隅部に向かって拡がっており、側部の内面が略垂直に延びた内側容器部との間に逃げ隙間が形成されていることを特徴とする食器。
【請求項３】
請求項１または２に記載した食器において、
内側容器部が外側容器部に対して着脱自在になっていることを特徴とする食器。
【請求項４】
請求項３に記載した食器において、
内側容器部の開口縁には外方に張り出したフランジ部が設けられ、外側容器部には溝部が設けられており、前記フランジ部の前記溝部への嵌め込みにより一体化されていることを特徴とする食器。
【請求項５】
請求項３または４に記載した食器において、
内側容器部の底部に対して上側から押える押えプレートを備えることを特徴とする食器。
【考案の詳細な説明】
【技術分野】
【０００１】
本考案は食器に係り、特に、要介護者が自立的に食事をするのに適した食器に関するものである。
【背景技術】
【０００２】
スープ等の流状の食べ物を摂取する場合には、ある程度の深さの有る食器に食べ物を入れておき、スプーン等の掬い具を手で使いこなして掬い上げることになるので、比較的繊細な手作業が必要となる。
そのため、高齢化が進み、要介護者になると、最後まで上手く掬い上げることができずに介助が必要となるので、結果的に自立が妨げられることになる場合が往々にしてある。
【先行技術文献】
【特許文献】
【０００３】
【特許文献１】特開２００２−２８２１１２号公報
【特許文献２】特開２００９−１３１５７１号公報
【考案の概要】
【考案が解決しようとする課題】
【０００４】
そのため、掬い上げ易くするよう、食器の形状に種々の工夫を凝らしたものが提案されている。
例えば、特許文献１には、食べ物を入れる器部と、この器部を保持するベース部とを備えている。器部は内面の曲率半径が異なるように形成されており、食べ物が少なくなったら、器部の傾きを変えて食べ物を深さ方向が深くなる位置にもってくることで、スプーン等で掬い上げ易くなると紹介されている。
また、引用文献２には、食器の一部に湾曲部を設け、食べ物が少なくなったら、その湾曲部に寄せることで、スプーン等で掬い上げ易くなると紹介されている。
【０００５】
しかしながら、いずれも、スプーン等と食器の内面には隙間ができてしまうので、両手が有る程度は自由に使えないと最後まで器用に掬い上げるのは難しい。
【０００６】
本考案は上記従来の問題点に着目して為されたものであり、食べ物を最後まで容易に掬い上げることができるよう工夫された食器を提供することを、その目的とする。
【課題を解決するための手段】
【０００７】
本考案は上記課題を解決するために為されたものであり、請求項１の考案は、剛性素材で形成され、底部と前記底部の縁から立ち上がった側部とで構成され外側容器部と、弾性素材で前記外側容器部の入れ子状に形成され、前記容器本体の内面側に配置される内側容器部とを備え、スプーン等の掬い具を押しながら当てると、前記内側容器部が弾性変形して前記掬い具の形状に追従することで、前記掬い部と前記内側容器部との間の隙間が埋められることを特徴とする食器である。
【０００８】
請求項２の考案は、請求項１に記載した食器において、外側容器部の側部の内面が角隅部に向かって拡がっており、側部の内面が略垂直に延びた内側容器部との間に逃げ隙間が形成されていることを特徴とする食器である。
【０００９】
請求項３の考案は、請求項１または２に記載した食器において、内側容器部が外側容器部に対して着脱自在になっていることを特徴とする食器である。
【００１０】
請求項４の考案は、請求項３に記載した食器において、内側容器部の開口縁には外方に張り出したフランジ部が設けられ、外側容器部には溝部が設けられており、前記フランジ部の前記溝部への嵌め込みにより一体化されていることを特徴とする食器である。
【００１１】
請求項５の考案は、請求項３または４に記載した食器において、内側容器部の底部に対して上側から押える押えプレートを備えることを特徴とする食器である。
【考案の効果】
【００１２】
本考案の食器を用いれば、手先の不自由な高齢者でも、食べ物を残さずに掬い上げることが容易になる。
【図面の簡単な説明】
【００１３】
【図１】本考案の実施の形態に係る食器の全体斜視図である。
【図２】図１の分解斜視図である。
【図３】図１の断面図である。
【図４】図３の内容容器部の弾性変形状態を示す説明図である。
【図５】図１における食べ物を掬い上げるときの様子を示す説明図である。
【考案を実施するための形態】
【００１４】
本考案の実施の形態に係る食器１を、図面にしたがって説明する。
図１に示すように、食器１は上方に全面的に開口した皿タイプのものであり、既存の皿に擬した外側容器部３を備えている。皿は、家庭では陶器やガラス等で形成されたものを使用する場合が多いが、この食器１は要介護者に利用してもらうことを想定しているので、外側容器部３は剛性のプラスチック（ＰＰ）で形成されている。
図２に示すように、外側容器部３は円板状の底部５と底部５の縁から垂直に立ち上がった環壁状の側部９とで構成されており、底部５の内面７と、側部９の内面１１とで囲まれた部分が食べ物の収容側となっている。
【００１５】
図３に示すように、側部９の内面１１は傾斜しており、底部５側にいくほど薄肉になっている。底部５の内面７との境界にある角隅部１３は丸みが付けられて僅かに窪んでいる。
また、側部９の上端が開口縁１５になっており、この開口縁１５も丸みが付けられている。開口縁１５の近傍には内面１１から外面側に向かって延びる溝１７（図２）が形成されている。この溝１７は内面１１の周方向に連続しており、全体として環状溝となっている。
【００１６】
上記した構成の外側容器部３の内面７、１１側には内側容器部１９が配置されている。
内側容器部１９は弾性のゴム（シリコーンゴム）で形成されている。
図２、図３に示すように、円板状の底部２１と底部２１の縁から垂直に立ち上がった環壁状の側部２５とで構成されており、底部２１の内面２３と、側部２５の内面２７とで囲まれた部分が食べ物の収容側となっている。どの部位も略同じ肉厚になっているが、その肉厚は外側容器部３の肉厚と比べると格段に薄く、弾性が有ることからシート材のような感触となっている。但し、容器としての保形性は維持しており、外力が加えられなければ、側部２５が崩れたり変形したりすることはない。
側部２５の上端にある開口縁には外方に延びるフランジ部２９が形成されており、上方から見ると、環状になっている。
内側容器部１９は外側容器部３より小さく、その内側形状が外側容器部３の外側形状を転写した形状になっている。
【００１７】
符号３１は押えプレートを示し、この押えプレート３１は円板状になっている。押えプレート３１の板面は上記した内側容器部１９の底部２１の板面より僅かに小さい。押えプレート３１もＰＰで形成されている。
【００１８】
食器１は、上記した外側容器部３と内側容器部１９と押えプレート３１とで構成されている。
図１に示すように、外側容器部３に内側容器部１９が入れ子状に入れられて設置されている。図２に示すように、外側容器部３の底部５の内面７に内側容器部１９の底部２１の外面が重ね合わされ、外側容器部３の溝１７にフランジ部２９が嵌め込まれて固定されている。
外側容器部３の側部９の内面１１は傾斜しているので、内側容器部１９の側部２５の外面とは上側では弾接しているが、それより下側では離れており、その間に逃げ隙間３３ができている。
内側容器部１９は弾性なので、弾性変形させることで外側容器部３内に入れ子状に設置することができると共に、容易に取り外すこともできる。
【００１９】
内側容器部１９の底部２１の内面２３上には、押えプレート３１が置かれており、内側容器部１９の浮き上がりが防止されている。
この押えプレート３１は自重だけで内側容器部１９を押えて固定しており、その縁部と内側容器部１９の側部２５の内面２７との間には僅かなクリアランスが残されているので、全体を傾ければ押えプレート３１は内部容器部１９の側部２５側に倒れるので、容易に取り外しができる。
このように、外側容器部３、内側容器部１９、押えプレート３１は分けることができるので、それぞれ別個に洗浄して衛生的に保管できる。
【００２０】
図４に示すように、この食器１に、スプーンＳを差し入れ、内側容器部１９の側部２５を内面２７側から押すと、側部２５がスプーンＳの形状に追従して逃げ隙間３３側に向かって弾性変形していくので、スプーンＳと側部２５との間には隙間が埋まられて当接した状態となる。
【００２１】
従って、図５（１）に示すように、食器１に入ったスープＦの量が少なくなってきたときに、スプーンＳで側部２５の内面２７に寄せて、さらに、スプーンＳで内面２７を押さえ付けながら移動させると、内側容器部１９が弾性変形しながらスプーンＳの皿部分Ｓ１に追従するので、スプーンＳの皿部分Ｓ１の縁が内面２７に対して摺接して、スープＦがスプーンＳと内面２７との間に逃げ込む隙間を作らない。しかも、逃げ隙間３３を利用して側部２５は大きく弾性変形できるので、スプーンＳの皿部分に載るスープＦの量を多くでき、掬い上げの効率が高められている。さらに、残り僅かになるとスープＦは角隅部１３側に残ることになるが、そこは丸く凹んでいるので、図５（２）に示すように、角隅部１３に対してスプーンＳの皿部分Ｓ１を内側から押さえると、内側容器部１９が角隅部１３に追従した形状に弾性変形し、角隅部１３に少量残ったスープＦも無駄なく掬い上げることができる。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、容器部３、１９は側部が略垂直に立ち上がっているが、傾斜していてもよい。
【符号の説明】
【００２３】
１…食器
３…外側容器部      ５…底部      ７…内面      ９…側部
１１…内面      １３…角隅部      １５…開口縁      １７…溝
１９…内側容器部      ２１…底部      ２３…内面      ２５…側部
２７…内面      ２９…フランジ部
３１…押えプレート
３３…逃げ隙間
Ｓ…スプーン      Ｓ１…皿部分      Ｆ…スープ
【図１】
0003194175.tif 000003
【図２】
0003194175.tif 000004
【図３】
0003194175.tif 000005
【図４】
0003194175.tif 000006
【図５】
0003194175.tif 000007